(57)【特許請求の範囲】
【請求項１】
現像剤を収容する現像容器に回転自在に支持され、潜像が形成された像担持体と対向する現像領域に現像剤を供給する現像剤担持体と、
前記現像剤担持体の回転軸線方向に延設され、現像剤担持体表面の現像剤層の厚さを規制する板状の層厚規制部材と、
自由端側が前記像担持体に当接し、前記像担持体と前記現像剤担持体の間隙から現像剤が落下するのを防止するように配設されたシール部材と、
前記シール部材の基端側が固定され、前記層厚規制部材と前記現像容器とを挟み込むように設置された固定部材とを有することを特徴とする現像装置。
【請求項２】
前記固定部材は、前記現像剤担持体の回転軸線方向に延設されていて、その長手方向の中央部が端部と比較して前記層厚規制部材側に突出していることを特徴とする請求項１記載の現像装置。
【請求項３】
前記固定部材が、帯電防止特性を有する樹脂により形成されることを特徴とする請求項１または２記載の現像装置。
【請求項４】
前記固定部材が、非磁性金属材料により形成されることを特徴とする請求項１または２記載の現像装置。
【請求項５】
像担持体と、前記像担持体の表面を帯電する帯電手段と、この像担持体の表面に残留する現像剤を除去するクリーニング手段と、前記像担持体の表面に現像剤を供給する現像装置とを備え、
前記現像装置として請求項１ないし４の何れかに記載の現像装置を具備することを特徴とするプロセスカートリッジ。
【請求項６】
前記像担持体と前記現像剤担持体が所定の間隔となるように配置され、
前記像担持体への露光光が通過する開口部を有し、
前記開口部から前記固定部材が着脱可能となるように前記開口部の領域が形成されていることを特徴とした請求項５記載のプロセスカートリッジ。
【請求項７】
請求項１ないし４の何れか１つに記載の現像装置を備えたことを特徴とする画像形成装置。
【請求項８】
請求項５又は６に記載のプロセスカートリッジを備えたことを特徴とする画像形成装置。
【請求項９】
前記現像剤として球形トナーを用いることを特徴とする請求項７または８記載の画像形成装置。
【発明の詳細な説明】
【技術分野】
【０００１】
本発明は、複写機、プリンター、ファクシミリ等の電子写真方式の用いる現像装置及び画像形成装置に関する。
【背景技術】
【０００２】
粉体の現像剤を用いて感光体上に形成され静電潜像を現像する電子写真方式の画像形成装置では、現像装置を用いて現像剤を現像領域に搬送している。現像装置では現像領域に搬送する現像剤の量を均一にするために、現像剤規制部材を備えている。
【０００３】
この現像剤記載部材は、現像装置内の現像剤が順次供給されてくる現像剤の圧力がかかるので、剤の搬送圧のかかり方によっては変形してしまい、設定した現像剤量に規定できない場合がある。
【０００４】
そこで、特許文献１では、層厚規制部材を金属製の板金により形成し、絞り形状を付加することにより、現像剤圧による変形量を低減するようにした構成が提案されている。
【０００５】
また、現像装置は感光体と対向する部分が開口されていて、装置内部に配置した現像部材を感光体近傍に臨ませているが、構造上この開口から現像剤が漏れてしまうのでシール部材を設けている。
【０００６】
例えば、特許文献２では、シール貼り付け性の向上を目的として、一つの部材に入口シールとサイドシールを貼り付けた状態で現像装置にセットするような構成が提案されている。
【０００７】
【特許文献１】特開２００２−１４８８６号公報
【特許文献２】特開平０９−３１９２１５号公報
【発明の開示】
【発明が解決しようとする課題】
【０００８】
特許文献１では、層厚規制部材に絞り形状をつくり強度向上を図って現像剤圧による変形を抑えているが、部品コストの増加が避けられない状況であった。  
本発明は、低コストで現像剤圧による層厚規制部材の変形を防止しながら、シール性も確保することが可能な現像装置及び画像形成装置を提案することを、その目的とする。
【課題を解決するための手段】
【０００９】
上記目的を達成するため、請求項１の発明は、現像剤を収容する現像容器に回転自在に支持され、潜像が形成された像担持体と対向する現像領域に現像剤を供給する現像剤担持体と、現像剤担持体の回転軸線方向に延設され、現像剤担持体表面の現像剤層の厚さを規制する板状の層厚規制部材と、自由端側が像担持体に当接し、像担持体と現像剤担持体の間隙から現像剤が落下するのを防止するように配設されたシール部材と、シール部材の基端側が固定され、層厚規制部材と現像容器とを挟み込むように設置された固定部材とを有することを特徴としている。
【００１０】
請求項２の発明は、請求項１記載の現像装置において、固定部材は、現像剤担持体の回転軸線方向に延設されていて、その長手方向の中央部が端部と比較して層厚規制部材側に突出して形成されていることを特徴としている。
【００１１】
請求項３の発明は、請求項１または２記載の現像装置において、固定部材が、帯電防止特性を有する樹脂により形成されることを特徴とし、請求項４の発明は、請求項１または２記載の現像装置において、固定部材が非磁性金属材料により形成されることを特徴としている。
【００１２】
請求項５の発明は、像担持体と、像担持体の表面を帯電する帯電手段と、この像担持体の表面に残留する現像剤を除去するクリーニング手段と、像担持体の表面に現像剤を供給する現像装置とを備え、現像装置として請求項１ないし４の何れかに記載の現像装置を具備することを特徴としている。
【００１３】
請求項６の発明は、請求項５記載のプロセスカートリッジにおいて、像担持体と現像剤担持体が所定の間隔となるように配置され、像担持体への露光光が通過する開口部を有し、開口部から固定部材が着脱可能となるように開口部の領域が形成されていることを特徴としている。
【００１４】
請求項７の画像形成装置は、請求項１ないし４の何れか１つに記載の現像装置を備えたことを特徴とし、請求項８の画像形成装置は、請求項５又は６に記載のプロセスカートリッジを備えたことを特徴とし、請求項９の発明は、請求項７または８記載の画像形成装置において、現像剤として球形トナーを用いることを特徴としている。
【発明の効果】
【００１５】
本発明によれば、シール部材の基端側が固定され、層厚規制部材と現像容器とを挟み込むように設置された固定部材とを有するので、この固定部材により層厚規制部材の撓みが抑制されることとなり、層厚規制部材と現像剤担持体との隙間が長手方向にわたって一定となり、像担持体に常に一定量の現像剤を搬送することができる。また、入口シールを固定する固定部材に、剤圧による層厚規制部材の撓みを抑制する機能を持たせているので、別部品により各々の効果を達成するよりも安価な構成が実現できる。
【発明を実施するための最良の形態】
【００１６】
以下、本発明の実施の形態について図面を用いて説明する。図１は、本発明が適用された画像形成装置としてのカラープリンタを示す。画像形成装置としては、プリンターに限定されるものではなく、電子写真方式を用いた複写機やファクシミリ、複合機等であっても良い。図１〜図２にて、画像形成装置全体の構成・動作について説明する。本発明は、カラー画像形成装置ではなく、単色の現像剤を用いる画像形成装置にも適用可能である。
【００１７】
図１に示すカラープリンタ１は、所謂カラーレーザープリンタであって、その画像形成装置本体１００の上方に形成されたトナー容器収容部３１には、イエロー、マゼンタ、シアン、ブラックの各色に対応した４つのトナー容器３２Ｙ，３２Ｍ，３２Ｃ，３２Ｋが着脱自在（交換自在）に設置されている。
【００１８】
トナー容器収容部３１の下方には中間転写ユニット１５が配設されている。中間転写ユニット１５は、複数のローラ部材に掛け渡された中間転写体となる中間転写ベルト８を備えている。中間転写ベルト８の下方には、イエロー，マゼンタ，シアン，ブラックに対応したプロセスユニットとなる作像部６Ｙ，６Ｍ，６Ｃ，６Ｋが中間転写ベルト８に対向してこの中間転写ベルト８と並設されている。作像部６Ｙ，６Ｍ，６Ｃ，６Ｋの下方には、露光装置７が配置され、その下方には複数の給紙部２６，２６が配置されている。トナー容器収容部３１の上方には、印刷された転写紙等の被転写材Ｐが排紙されて積載されるスタック部３０が画像形成装置本体１００に形成されて配置されている。
【００１９】
次に作像部の構成について、イエローに対応した作像部６Ｙの構成を代表して説明する。作像部６Ｙは、感光体ドラムや感光体ベルトで構成される像担持体１Ｙ、像担持体１Ｙの周囲に配設された帯電手段（帯電部）４Ｙ、現像装置５Ｙ（現像部）、クリーニング手段（クリーニング部）２Ｙ、図示しない除電手段（除電部）等を備えた周知の構成である。そして、像担持体１Ｙ上で、電子写真作像プロセス（帯電工程、露光工程、現像工程、転写工程、クリーニング工程）が行なわれて、像担持体１Ｙ上にイエロートナーの画像が形成されることになる。
【００２０】
なお、他の３つの作像部６Ｍ，６Ｃ，６Ｋも、使用される現像剤を構成するトナーの色と中間転写ベルト８に対向する位置が異なる以外は、イエローに対応した作像部６Ｙとほぼ同様の構成となっていて、それぞれのトナー色に対応した画像が形成される。以下、他の３つの作像部６Ｍ，６Ｃ，６Ｋの説明を適宜に省略して、イエローに対応した作像部６Ｙのみの説明を行なうものとする。
【００２１】
図２に示すように、像担持体１Ｙは図示しない駆動モータによって図２中、時計回り方向に回転駆動される。そして、帯電部４Ｙの位置で像担持体１Ｙの表面が一様に帯電される（帯電工程）。その後、像担持体１Ｙの表面は、図１に示す露光装置７から発せられたレーザ光Ｌの照射位置に達して、この位置での露光走査によってイエローに対応した静電潜像が形成される（露光工程。）
その後、像担持体１Ｙの表面は、現像領域となる現像装置５Ｙとの対向位置に達して、この位置で静電潜像が現像されてイエローのトナー像が形成される（現像工程）。像担持体１Ｙの表面は、中間転写ベルト８及び第１転写バイアスローラ９Ｙとの対向位置に達して、この１次転写位置で像担持体１Ｙ上のトナー像が中間転写ベルト８上に転写される（１次転写工程。）。このとき、像担持体１Ｙ上には、僅かながら未転写トナーが残存するので、像担持体１Ｙの表面は、クリーニング部２Ｙとの対向位置に達して、この位置で像担持体１Ｙ上に残存した未転写トナーがクリーニングブレード２ａによって機械的に回収される（クリーニング工程）。像担持体１Ｙの表面は、図示しない除電部との対向位置に達して、この位置で像担持体１Ｙ上の残留電位が除去される。このようにして像担持体１Ｙ上で行なわれる一連の作像プロセスが終了する。
【００２２】
上述した作像プロセスは、他の作像部６Ｍ，６Ｃ，６Ｋでも、イエロー作像部６Ｙと同様に行われる。すなわち、作像部の下方に配設された露光部７から、画像情報に基にしたレーザ光Ｌが、各作像部６Ｍ，６Ｃ，６Ｋの像担持体上に向けて照射される。詳しくは、露光部７は、光源からレーザ光Ｌを発して、そのレーザ光Ｌを回転駆動されたポリゴンミラーで走査しながら、複数の光学素子を介して各作像部の像担持体上に照射する。その後、現像工程を経て各像担持体上に形成した各色のトナー像を、中間転写ベルト８上に重ねて転写する。こうして中間転写ベルト８上にカラー画像が形成される。
【００２３】
中間転写ユニット１５は、図１に示すように、中間転写ベルト８、四つの１次転写バイアスローラ９Ｙ，９Ｍ，９Ｃ，９Ｋ、２次転写バックアップローラ１２、クリーニングバックアップローラ１３、テンションローラ１４、中間転写クリーニング部１０等で構成されている。中間転写ベルト８は、３つのローラ１２〜１４によって張架・支持されるとともに、１つのローラ１２の回転駆動によって図１中、反時計回りに無端移動される。
【００２４】
４つの１次転写バイアスローラ９Ｙ，９Ｍ，９Ｃ，９Ｋは、それぞれ中間転写ベルト８を像担持体１Ｙ，１Ｍ，１Ｃ，１Ｋとの間に挟み込んで１次転写ニップを形成している。そして、１次転写バイアスローラ９Ｙ，９Ｍ，９Ｃ，９Ｋには、トナーの極性とは逆の転写バイアスが印加される。
【００２５】
中間転写ベルト８は、反時計回りに走行して、各１次転写バイアスローラ９Ｙ，９Ｍ，９Ｃ，９Ｋの１次転写ニップを順次通過するとこで、像担持体１Ｙ，１Ｍ，１Ｃ，１Ｋ上の各色のトナー像が、中間転写ベルト８上に重ねて１次転写される。
【００２６】
その後、各色のトナー像が重ねて転写された中間転写ベルト８は、２次転写ローラ１９との対向位置に達する。この位置では、２次転写バックアップローラ１２が、２次転写ローラ１９との間に中間転写ベルト８を挟み込んで２次転写ニップを形成している。そして、中間転写ベルト８上に形成された４色のトナー像は、この２次転写ニップの位置に搬送された被転写材Ｐ上に転写される。このとき、中間転写ベルト８には、被転写材Ｐに転写されなかった未転写トナーが残存する。その後、中間転写ベルト８は、中間転写クリーニング部１０の位置に達し、この位置で、中間転写ベルト８上の未転写トナーが回収される。こうして、中間転写ベルト８上で行われる、一連の転写プロセスが終了する。
【００２７】
２次転写ニップの位置に搬送された被転写材Ｐは、画像形成装置本体１００の下方に配設された給紙部２６から、給紙ローラ２７やレジストローラ対２８等を経由して搬送されたものである。
【００２８】
詳しく説明すると、各給紙部２６には、被転写材Ｐが複数枚重ねて収納されている。そして、給紙ローラ２７が図１中の反時計方向に回転駆動されると、一番上の被転写材Ｐがレジストローラ対２８のローラ間に向けて給送される。レジストローラ対２８に搬送された被転写材Ｐは、回転駆動を停止したレジストローラ対２８のローラニップの位置で一旦停止する。そして、中間転写ベルト８上のカラー画像にタイミングを合わせて、レジストローラ対２８が回転駆動されて、被転写材Ｐが２次転写ニップに向けて搬送される。こうして、被転写材Ｐ上に所望のカラー画像が転写される。
【００２９】
２次転写ニップの位置でカラー画像が転写された被転写材Ｐは、定着部２０に搬送される。そして、周知の定着ローラ及び圧力ローラによる熱と圧力とにより、表面に転写されたカラー画像が被転写材Ｐ上に定着される。画像定着が成された被転写材Ｐは、排紙ローラ対２９のローラ間を経て、装置外へと排出され、出力画像としてスタック部３０上に順次スタックされる。ここまでがカラー画像形成装置における、一連の画像形成プロセスが完了する。
【００３０】
次に、図２を用いて作像部における現像装置の構成・動作について、さらに詳しく説明する。ここでもイエローの現像装置５Ｙを代表して説明する。  
現像装置５Ｙは、像担持体１Ｙに対向する現像剤担持体５１Ｙ、現像剤担持体５１Ｙに対向する層厚規制部材５２Ｙ、現像剤収容部５３Ｙ，５４Ｙ内に配設された２つの搬送スクリュ５５Ｙ、現像剤中のトナー濃度を検知する濃度検知センサ５６Ｙ等を備えている。現像剤収容部５３Ｙ，５４Ｙ内には、キャリアとトナーとからなる２成分現像剤Ｇが収容されている。現像剤収容部５４Ｙは、その上方に形成された開口６０Ｙａを介してトナー受入口４３Ｙに連通している。
【００３１】
現像剤担持体５１Ｙは、内部に固設された磁石や、磁石の周囲を回転するスリーブ等の周知のローラ状に構成されたものである。現像剤担持体５１Ｙは、現像剤を収容する現像容器となるケーシング６０内に配置されに回転自在に支持され、潜像が形成された像担持体１Ｙと対向する現像領域に現像剤を供給するように構成されている。像担持体１Ｙと現像剤担持体５１Ｙは、作像部６Ｙに装着されたときに、所定の間隔となるように配置されている。
【００３２】
厚規制部材５２Ｙは、現像剤担持体５１Ｙの回転軸線方向に延設され、現像剤担持体表面５１Ｙａの現像剤層の厚さを規制するもので、板状部材で構成されている。層厚規制部材５２Ｙと帯電ローラ４Ｙとの間には、像担持体１Ｙへの露光光Ｌが通過する開口部１６０が形成されている。この開口部１６０内には、像担持体１Ｙと現像剤担持体５１Ｙの間隙から現像剤が落下するのを防止するように、その自由端１５７Ｙａが像担持体１Ｙの表面に当接する弾性を有するシール部材１５７Ｙの基端１５７Ｙｂが固定部材５７Ｙに装着されて配置されている。
【００３３】
固定部材５７Ｙは、シール部材１５７Ｙを装着した状態で、作像部６Ｙに含まれている現像装置５Ｙのケーシング６０に対して着脱可能に構成されている。固定部材５７Ｙは、図４に示すように、矢印Ｘで示す現像剤担持体５１Ｙの回転軸線方向に延設されていて、その両端５７Ｙａ，５７Ｙｂには円形のボス部１５８Ｙａ，１５８Ｙｂがそれぞれ設けられている。このボス部１５８Ｙａ，１５８Ｙｂは、ケーシング６０への着脱時に、現像装置５Ｙ側に形成された図示しない溝に挿入されるように形成されている。
【００３４】
固定部材５７Ｙは、シール部材１５７Ｙが装着される装着部５７Ｙｃと、この装着部５７Ｙｃと一体的に形成されているとともに、装着部５７Ｙｃと間隔ＹＳ１を持って配置されるスナップフィット部５７Ｙｄを備えている。スナップフィット部５７Ｙｄは、現像装置５Ｙのケーシング６０に装着されたときに、ケーシング６０に引っかかるように形成された爪部であって、弾性変形可能とされている。また、間隔ＹＳ１は、ケーシング６０と、これに装着固定されている層厚規制部材５２Ｙの双方が挿入される空間であって、ケーシング６０と層厚規制部材５２Ｙを挟み込むように形成されている。固定部材５７Ｙは、図５に示すように、その長手方向の中央部５１Ｙｅが両端５１Ｙａ，５１Ｙｂと比較して層厚規制部材側５２Ｙに突出するように形成されている。
【００３５】
シール部材１５７Ｙは、固定部材５７Ｙが現像装置５Ｙに装着されたときに、自由端１５７Ｙａが像担持体１Ｙの表面に当接するようにその長さが設定されている。開口部１６０は、シール部材１５７Ｙが装着された固定部材５７Ｙが着脱可能となるような大きさの領域が確保されている。
【００３６】
このように構成された現像装置５Ｙは、次のように動作する。  
現像剤担持体５１Ｙのスリーブは、図２の矢印方向に回転する。磁石により形成された磁界によって現像剤担持体５１Ｙ上に担持された現像剤Ｇは、スリーブの回転にともない現像剤担持体５１Ｙ上を移動する。
【００３７】
ここで、現像装置５Ｙ内の現像剤Ｇは、現像剤中のトナーの割合（トナー濃度）が所定の範囲内になるように調整される。詳しくは、現像装置５Ｙ内のトナー消費に応じて、トナー容器３２Ｙに収容されているトナーが、図示しないトナー補給装置を介して現像剤収容部５４Ｙ内に補給される。その後、現像剤収容部５４Ｙ内に補給されたトナーは、２つの搬送スクリュ５５Ｙ，５５Ｙによって、現像剤Ｇとともに混合・撹拌されながら、２つの現像剤収容部５３Ｙ，５４Ｙを循環する。循環方向は、図２の紙面垂直方向である。そして、現像剤Ｇ中のトナーは、キャリアとの摩擦帯電によりキャリアに吸着して、現像剤担持体５１Ｙ上に形成された磁力によりキャリアとともに現像剤担持体５１Ｙ上に担持される。
【００３８】
現像剤担持体５１Ｙ上に担持された現像剤Ｇは、図２中の矢印方向に搬送されて、層厚規制部材５２Ｙの位置に達する。そして、現像剤担持体５１Ｙ上の現像剤Ｇは、この位置で現像剤量が適量化された後に、像担持体１Ｙとの対向位置（現像領域）まで搬送される。そして、現像領域に形成された電界によって、像担持体１Ｙ上に形成された潜像にトナーが吸着される。その後、現像剤担持体５１Ｙ上に残った現像剤Ｇはスリーブの回転にともない現像剤収容部５３Ｙの上方に達して、この位置で現像剤担持体５１Ｙから離脱される。
【００３９】
次に固定部材５７Ｙとシール部材１５７Ｙの装着について説明する。図３に示すように、ケーシング６０（現像装置５Ｙ）から離脱されている固定部材５７Ｙは、露光用の開口部１６０から挿入し(図の矢印方向)、その両端のボス部１５８Ｙａ，１５８Ｙｂをケーシング６０に設けられた図示しない溝に合わせるようにセットする。そしてそのままケーシング６０内に押し込むことにより図２に示すように、スナップフィット部５７Ｙｄがケーシング６０に食い込み、現像装置５Ａの組み込み作業が終了する。ボス部１５８Ｙａ，１５８Ｙｂと溝は、両者が係合して、ケーシング６０内に向かって移動する際に、間隔ＹＳ１内にケーシング６０と層厚規制部材５２Ｙとが位置するように配置するのが望ましい。このような構成は、イエローの現像装置５Ｙ及び作像部６Ｙにだけ適用されるものではなく、各色の現像装置５Ｙ及び作像部６Ｙにも同様な採用されている。
【００４０】
このように、層厚規制部材５２Ｙとケーシング６０とを挟み込むように設置される固定部材５７Ｙに、シール部材１５７Ｙの基端側１５７ｂを固定し、ケーシング６０に装着するので、この固定部材５７Ｙにより層厚規制部材５２Ｙの撓みが抑制されることとなり、層厚規制部材５２Ｙと現像剤担持体５１Ｙとの隙間が長手方向にわたって一定となるため、像担持体１Ｙに常に一定量の現像剤を搬送することができる。また、シール部材１５７Ｙを固定する固定部材５７Ｙに、剤圧による層厚規制部材５２Ｙの撓みを抑制する機能を持たせているので、従来のような別部品により各々の効果を達成するよりも安価な構成が実現できる。
【００４１】
また、固定部材５７Ｙの中央部５７ｅが層厚規制部材５２Ｙ側に突出しているので、剤圧により最も撓みの大きい層厚規制部材５２Ｙの中央部の撓みがより効果的に抑制することができる。
【００４２】
各色の固定部材が、帯電防止特性を有する樹脂により形成すると、帯電による部材表面へのゴミの付着を防止することが可能となり、像担持体１Ｙへの露光光Ｌを妨害することにより発生する不良画像が抑制することができる。各色の固定部材を非磁性金属材料により形成した場合には、樹脂材料などにより形成するよりも強度が高く、層厚規制部材の撓みを抑制する効果をより高めることができる。
【００４３】
本形態においては、各色のプロセスカートリッジが、固定部材と一体化されたシール部材と、この固定部材をケーシングに装着することで層厚規制部材の補強構造となる現像装置をそれぞれ備えているので、ユーザーによる交換作業性が向上する。また、各シール部材は固定部材がケーシングに装着されることで、像担持体との位置関係が規定されるので、シール部材を単独で着脱する場合に比べてシール部材の取付け制度が高まり、不要な装着作業による像担持体表面にキズを付けてしまうといった不具合も解消することが可能となる。
【００４４】
各プロセスカートリッジは、像担持体への露光光が通過する開口部からそれぞれ固定部材が着脱可能となるように開口部の領域が形成されているので、交換作業性が向上するとともに、不要な操作による像担持体表面にキズを付けてしまうといった不具合も解消することが可能となる。また、組立工程において像担持体と現像剤担持体との間隙を測定した後にプロセスカートリッジを分解することなくシール部材がそれぞれ装着可能となるので、担持体と現像剤担持体の測定値の保証が確実にでき、画像品質の向上につながる。
【００４５】
各層厚規制部材の撓みが無く、常に一定量の現像剤が像担持体にそれぞれ搬送されるため、良好な画像が出力できるとともに、プロセスカートリッジ方式としているので、より操作性の良好な画像形成装置を提供することができる。現像剤を構成するトナーとして、球形トナーを使用すると現像状態が良好となるので、高画質な画像を提供する事ができるようになる。
【図面の簡単な説明】
【００４６】
【図１】本発明の一実施形態である画像形成装置を全体構成図である。
【図２】シール部材の装着状態を示す現像装置及びプロセスカートリッジの拡大図である。
【図３】シール部材の装着前状態を示す現像装置及びプロセスカートリッジの拡大図である。
【図４】シール部材の装着した固定部材の構成を示す部分破断斜視図である。
【図５】固定部材の構成を示す平面視図である。
【符号の説明】
【００４７】
１（Ｙ，Ｍ，Ｃ，Ｋ）    像担持体
２（Ｙ，Ｍ，Ｃ，Ｋ）    クリーニング手段
４（Ｙ，Ｍ，Ｃ，Ｋ）    帯電手段
５（Ｙ，Ｍ，Ｃ，Ｋ）    現像装置
６（Ｙ，Ｍ，Ｃ，Ｋ）    プロセスカートリッジ
５１（Ｙ，Ｍ，Ｃ，Ｋ）  現像剤担持体
５１（Ｙ，Ｍ，Ｃ，Ｋ）ａ現像剤担持体
５２（Ｙ，Ｍ，Ｃ，Ｋ）  層厚規制部材
５７（Ｙ，Ｍ，Ｃ，Ｋ）  固定部材
５７（Ｙ，Ｍ，Ｃ，Ｋ）ｅ中央部
５７（Ｙ，Ｍ，Ｃ，Ｋ）ｂ，ｃ  両端
６０                    現像容器
１５７（Ｙ，Ｍ，Ｃ，Ｋ）シール部材
１５７（Ｙ，Ｍ，Ｃ，Ｋ）ａ  自由端
１５７（Ｙ，Ｍ，Ｃ，Ｋ）ｂ  基端
１６０（Ｙ，Ｍ，Ｃ，Ｋ）  開口部
Ｇ                      現像剤
Ｌ                      露光光
【図１】
0004955498.tif 000002
【図２】
0004955498.tif 000003
【図３】
0004955498.tif 000004
【図４】
0004955498.tif 000005
【図５】
0004955498.tif 000006